(57)【要約】【課題】転写領域において供給される総電流量を画像形成速度に応じて保持する構成に比べて、像保持体の除電不良を低減すること。【解決手段】像保持体（ＰＲｙ〜ＰＲｋ）の可視像を媒体（Ｂ）に転写する転写部材（Ｔ１ｙ〜Ｔ１ｋ）を備え、画像形成速度が低速の場合は、画像形成速度が高速の場合に比べて、前記像保持体（ＰＲｙ〜ＰＲｋ）と前記転写部材（Ｔ１ｙ〜Ｔ１ｋ）とが対向する転写領域（Ｑ３ｙ〜Ｑ３ｋ）において供給される転写用の総電流量（Ｉ１／ＰＳ１，Ｉ２／ＰＳ２，Ｉ３／ＰＳ１）を多くすることを特徴とする転写装置（Ｔ１＋Ｔ２＋Ｂ）。【選択図】図４
2018169452.tif 000002
【特許請求の範囲】
【請求項１】
像保持体の可視像を媒体に転写する転写部材を備え、
画像形成速度が低速の場合は、画像形成速度が高速の場合に比べて、前記像保持体と前記転写部材とが対向する転写領域において供給される転写用の総電流量を多くする
ことを特徴とする転写装置。
【請求項２】
媒体の移動方向に沿って並んで配置された複数の前記転写部材を備え、
前記画像形成速度が低速の場合は、前記画像形成速度が高速の場合に比べて、少なくとも１つの転写部材において、その上流側に隣接する他の転写部材よりも、供給される転写用の総電流量が多く、残りの転写部材において上流側に隣接する転写部材よりも総電流量が多いまたは同じである
ことを特徴とする請求項１に記載の転写装置。
【請求項３】
媒体の移動方向に沿って上流側から黄色の画像用の前記転写部材、マゼンタ色の画像用の前記転写部材、シアン色の画像用の前記転写部材、黒色の画像用の前記転写部材の順に並んで配置され、
前記画像形成速度が低速の場合は、前記画像形成速度が高速の場合に比べて、黄色およびマゼンタ色の画像用の前記転写部材に供給される総電流量よりも、シアン色および黒色の画像用の前記転写部材に供給される総電流量を多くする
ことを特徴とする請求項２に記載の転写装置。
【請求項４】
上流側の前記転写部材で転写される画像の濃度に基づいて、前記画像の濃度が高く、且つ、前記画像形成速度が低速の場合に、前記画像形成速度が高速の場合に比べて、上流側の前記転写部材に供給される総電流量よりも、下流側の前記転写部材に供給される総電流量を多くする
ことを特徴とする請求項２または３に記載の転写装置。
【請求項５】
上流側の前記転写部材で転写される画像の濃度に基づいて、前記画像の濃度が低い場合には、前記画像形成速度が低速の場合でも、上流側の前記転写部材に供給される総電流量に、下流側の前記転写部材に供給される総電流量を対応させる
ことを特徴とする請求項２ないし４のいずれかに記載の転写装置。
【請求項６】
媒体の移動方向に沿って上流側から黄色の画像用の前記転写部材、マゼンタ色の画像用の前記転写部材、シアン色の画像用の前記転写部材、黒色の画像用の前記転写部材の順に並んで配置され、
前記画像形成速度が低速の場合は、前記画像形成速度が高速の場合に比べて、黄色、マゼンタ色およびシアン色の画像用の前記転写部材に供給される総電流量よりも、黒色の画像用の前記転写部材に供給される総電流量を多くする
ことを特徴とする請求項２に記載の転写装置。
【請求項７】
媒体の移動方向に沿って並んで配置された複数の前記転写部材を備え、
複数の前記転写部材の全てを使用して転写を行う場合は、前記画像形成速度が低速の場合に、前記画像形成速度が高速の場合に比べて、前記転写部材の供給される総電流量を多くする
ことを特徴とする請求項１ないし６のいずれかに記載の転写装置。
【請求項８】
媒体の移動方向に沿って並んで配置された複数の前記転写部材を備え、
複数の前記転写部材の中で１つの転写部材のみで画像の転写を行う場合は、前記画像形成速度が低速の場合でも、画像用の前記転写部材の供給される総電流量を多くしない
ことを特徴とする請求項１ないし７のいずれかに記載の転写装置。
【請求項９】
像保持体と、
前記像保持体を帯電させる帯電器と、
帯電された前記像保持体に潜像を形成する潜像の形成装置と、
前記潜像を可視像に現像する現像装置と、
前記像保持体の可視像を媒体に転写する請求項１ないし８のいずれかに記載の転写装置と、
を備えたことを特徴とする画像形成装置。
【請求項１０】
転写後の前記像保持体の表面を除電する除電器を有しない
ことを特徴とする請求項９に記載の画像形成装置。
【請求項１１】
直流電源を使用して電源が供給される前記帯電器、
を備えたことを特徴とする請求項９または１０に記載の画像形成装置。
【発明の詳細な説明】
【技術分野】
【０００１】
本発明は、転写装置および画像形成装置に関する。
【背景技術】
【０００２】
画像形成装置において、像保持体の帯電不良に対する技術に関して、以下の特許文献１〜３に記載の技術が従来公知である。
【０００３】
特許文献１としての特開２０１３−１１７６７３号公報には、帯電ローラ（２ａ）の劣化に伴う帯電不良に対応するために、帯電ローラ（２ａ）の通電時間に基づいて、ＤＣバイアスの補正を行う技術が記載されている。
【０００４】
特許文献２としての特開２０１３−１２５２６３号公報には、帯電ローラ（１２）の負荷（抵抗）が上昇して帯電電位が低下することに対応して、帯電ローラ（１２）に供給する帯電ＡＣ電流が一定になるように帯電ＡＣバイアスを制御する技術が記載されている。
【０００５】
特許文献３としての特開２０１４−０５９４６１号公報には、外部の気温が低温の場合に、プロセススピードを遅くすると共に、帯電部（１０）には所定の帯電電圧を印加する技術が記載されている。
【先行技術文献】
【特許文献】
【０００６】
【特許文献１】特開２０１３−１１７６７３号公報（「０００５」、「００１５」〜「００１６」、図４、図５）
【特許文献２】特開２０１３−１２５２６３号公報（「００３０」〜「００４３」、図２〜図４）
【特許文献３】特開２０１４−０５９４６１号公報（「００３１」、「００４１」〜「００４５」、図１〜図３）
【発明の概要】
【発明が解決しようとする課題】
【０００７】
紙種や白黒／カラー印刷等に応じて画像形成速度を下げる制御を行う場合、像保持体および転写部材が転写領域を通過する時間が長くかかるため、転写領域通過中に供給される総電流量を保持するように、転写電流は画像形成速度に比例して制御することが一般的に行われている。一方で、転写電流を小さくすると、転写部材による像保持体の除電能力が低下する。
【０００８】
本発明は、転写領域において供給される総電流量を画像形成速度に応じて保持する構成に比べて、像保持体の除電不良を低減することを技術的課題とする。
【課題を解決するための手段】
【０００９】
前記技術的課題を解決するために、請求項１に記載の発明の転写装置は、
像保持体の可視像を媒体に転写する転写部材を備え、
画像形成速度が低速の場合は、画像形成速度が高速の場合に比べて、前記像保持体と前記転写部材とが対向する転写領域において供給される転写用の総電流量を多くする
ことを特徴とする。
【００１０】
請求項２に記載の発明は、請求項１に記載の転写装置において、
媒体の移動方向に沿って並んで配置された複数の前記転写部材を備え、
前記画像形成速度が低速の場合は、前記画像形成速度が高速の場合に比べて、少なくとも１つの転写部材において、その上流側に隣接する他の転写部材よりも、供給される転写用の総電流量が多く、残りの転写部材において上流側に隣接する転写部材よりも総電流量が多いまたは同じである
ことを特徴とする。
【００１１】
請求項３に記載の発明は、請求項２に記載の転写装置において、
媒体の移動方向に沿って上流側から黄色の画像用の前記転写部材、マゼンタ色の画像用の前記転写部材、シアン色の画像用の前記転写部材、黒色の画像用の前記転写部材の順に並んで配置され、
前記画像形成速度が低速の場合は、前記画像形成速度が高速の場合に比べて、黄色およびマゼンタ色の画像用の前記転写部材に供給される総電流量よりも、シアン色および黒色の画像用の前記転写部材に供給される総電流量を多くする
ことを特徴とする。
【００１２】
請求項４に記載の発明は、請求項２または３に記載の転写装置において、
上流側の前記転写部材で転写される画像の濃度に基づいて、前記画像の濃度が高く、且つ、前記画像形成速度が低速の場合に、前記画像形成速度が高速の場合に比べて、上流側の前記転写部材に供給される総電流量よりも、下流側の前記転写部材に供給される総電流量を多くする
ことを特徴とする。
【００１３】
請求項５に記載の発明は、請求項２ないし４のいずれかに記載の転写装置において、
上流側の前記転写部材で転写される画像の濃度に基づいて、前記画像の濃度が低い場合には、前記画像形成速度が低速の場合でも、上流側の前記転写部材に供給される総電流量に、下流側の前記転写部材に供給される総電流量を対応させる
ことを特徴とする。
【００１４】
請求項６に記載の発明は、請求項２に記載の転写装置において、
媒体の移動方向に沿って上流側から黄色の画像用の前記転写部材、マゼンタ色の画像用の前記転写部材、シアン色の画像用の前記転写部材、黒色の画像用の前記転写部材の順に並んで配置され、
前記画像形成速度が低速の場合は、前記画像形成速度が高速の場合に比べて、黄色、マゼンタ色およびシアン色の画像用の前記転写部材に供給される総電流量よりも、黒色の画像用の前記転写部材に供給される総電流量を多くする
ことを特徴とする。
【００１５】
請求項７に記載の発明は、請求項１ないし６のいずれかに記載の転写装置において、
媒体の移動方向に沿って並んで配置された複数の前記転写部材を備え、
複数の前記転写部材の全てを使用して転写を行う場合は、前記画像形成速度が低速の場合に、前記画像形成速度が高速の場合に比べて、前記転写部材の供給される総電流量を多くする
ことを特徴とする。
【００１６】
請求項８に記載の発明は、請求項１ないし７のいずれかに記載の転写装置において、
媒体の移動方向に沿って並んで配置された複数の前記転写部材を備え、
複数の前記転写部材の中で１つの転写部材のみで画像の転写を行う場合は、前記画像形成速度が低速の場合でも、画像用の前記転写部材の供給される総電流量を多くしない
ことを特徴とする。
【００１７】
前記技術的課題を解決するために、請求項９に記載の発明の画像形成装置は、
像保持体と、
前記像保持体を帯電させる帯電器と、
帯電された前記像保持体に潜像を形成する潜像の形成装置と、
前記潜像を可視像に現像する現像装置と、
前記像保持体の可視像を媒体に転写する請求項１ないし８のいずれかに記載の転写装置と、
を備えたことを特徴とする。
【００１８】
請求項１０に記載の発明は、請求項９に記載の画像形成装置において、
転写後の前記像保持体の表面を除電する除電器を有しない
ことを特徴とする。
【００１９】
請求項１１に記載の発明は、請求項９または１０に記載の画像形成装置において、
直流電源を使用して電源が供給される前記帯電器、
を備えたことを特徴とする。
【発明の効果】
【００２０】
請求項１，９に記載の発明によれば、転写領域において供給される総電流量を画像形成速度に応じて保持する構成に比べて、像保持体の除電不良を低減することができる。
請求項２に記載の発明によれば、除電が厳しい下流側の転写部材において総電流量が多くされない場合に比べて、像保持体の除電不良を低減できる。
請求項３に記載の発明によれば、全ての色で総電流量を画像形成速度に応じて保持したり、多くしたりする場合に比べて、画像が積層されて除電が厳しいシアン色と黒色の転写部材において、像保持体の除電不良を低減しつつ、画像が少ない黄色とマゼンタ色の転写部材において転写不良の発生を低減できる。
【００２１】
請求項４に記載の発明によれば、画像濃度に応じて総電流量を変更しない場合に比べて、高濃度時の除電不良を低減できる。
請求項５に記載の発明によれば、画像濃度に応じて総電流量を変更しない場合に比べて、低濃度時の転写不良を抑制できる。
請求項６に記載の発明によれば、総電流量を保持する従来の構成に比べて、最下流の黒色での除電不良を低減できる。
請求項７に記載の発明によれば、現像剤の量が多くなる多色での画像形成時に総電流量を多くしない場合に比べて、除電不良を低減できる。
【００２２】
請求項８に記載の発明によれば、１色のみの画像形成の場合にも総電流量を多くする場合に比べて、転写不良の発生を低減できる。
請求項１０に記載の発明によれば、像保持体を除電する部材を備える場合に比べて帯電直前の像保持体の表面電位が下がりきらない懸念は増すが、それでも総電流量を画像形成速度に応じて保持する構成に比べて、帯電時の残留電荷の影響を低減できる。
請求項１１に記載の発明によれば、直流電圧に交流電圧を重畳する場合に比べて帯電能力は劣るが、それでも総電流量を画像形成速度に応じて保持する構成に比べて、帯電時の残留電荷の影響を低減できる。
【図面の簡単な説明】
【００２３】
【図１】図１は実施例１の画像形成装置の説明図である。
【図２】図２は実施例１の画像形成装置の要部説明図である。
【図３】図３は実施例１の画像形成装置の制御部が備えている各機能をブロック図で示した図である。
【図４】図４は実施例１の１次転写電流の設定の説明図であり、横軸に画像形成速度を取り、縦軸に１次転写電流を取ったグラフである。
【発明を実施するための形態】
【００２４】
次に図面を参照しながら、本発明の実施の形態の具体例としての実施例を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００２５】
図１は実施例１の画像形成装置の説明図である。
図２は実施例１の画像形成装置の要部説明図である。
図１において、本発明の実施例１の画像形成装置の一例としての複写機Ｕは、装置の本体の一例であって、画像記録装置の一例としてのプリンタ部Ｕ１を有する。プリンタ部Ｕ１の上部には、読取部の一例であって、画像読取装置の一例としてのスキャナ部Ｕ２が支持されている。スキャナ部Ｕ２の上部には、原稿の搬送装置の一例としてのオートフィーダＵ３が支持されている。実施例１のスキャナ部Ｕ２には、入力部の一例としてのユーザインタフェースＵＩが支持されている。前記ユーザインタフェースＵＩは、操作者が入力をして、複写機Ｕの操作が可能である。
【００２６】
オートフィーダＵ３の上部には、媒体の収容容器の一例としての原稿トレイＴＧ１が配置されている。原稿トレイＴＧ１には、複写しようとする複数の原稿Ｇｉが重ねて収容可能である。原稿トレイＴＧ１の下方には、原稿の排出部の一例としての原稿の排紙トレイＴＧ２が形成されている。原稿トレイＴＧ１と原稿の排紙トレイＴＧ２との間には、原稿の搬送路Ｕ３ａに沿って、原稿の搬送ロールＵ３ｂが配置されている。
【００２７】
スキャナ部Ｕ２の上面には、透明な原稿台の一例としてのプラテンガラスＰＧが配置されている。実施例１のスキャナ部Ｕ２には、プラテンガラスＰＧの下方に、読取り用の光学系Ａが配置されている。実施例１の読取り用の光学系Ａは、プラテンガラスＰＧの下面に沿って、左右方向に移動可能に支持されている。なお、読取り用の光学系Ａは、通常時は、図１に示す初期位置に停止している。
読取り用の光学系Ａの右方には、撮像部材の一例としての撮像素子ＣＣＤが配置されている。撮像素子ＣＣＤには、画像処理部ＧＳが電気的に接続されている。
画像処理部ＧＳは、プリンタ部Ｕ１の書込回路ＤＬに電気的に接続されている。書込回路ＤＬは、潜像の形成装置の一例としてのＬＥＤヘッドＬＨｙ，ＬＨｍ，ＬＨｃ，ＬＨｋに電気的に接続されている。
【００２８】
各ＬＥＤヘッドＬＨｙ〜ＬＨｋの上方には、像保持体の一例としての感光体ドラムＰＲｙ，ＰＲｍ，ＰＲｃ，ＰＲｋが配置されている。
各感光体ドラムＰＲｙ〜ＰＲｋには、帯電器の一例としての帯電ロールＣＲｙ，ＣＲｍ，ＣＲｃ，ＣＲｋが対向して配置されている。前記帯電ロールＣＲｙ〜ＣＲｋには、電源回路Ｅから帯電電圧が印加される。なお、実施例１の帯電ロールＣＲｙ〜ＣＲｋには、直流電源が使用されて電源供給が行われている。すなわち、実施例１では、帯電電圧は、直流電圧のみであり交流電圧が重畳されていないが、直流に交流を重畳する構成とすることも可能である。
なお、電源回路Ｅは、制御部Ｃにより制御される。前記制御部Ｃは、画像処理部ＧＳや書込回路ＤＬ等との間でも信号の送受信を行って、各種制御を行う。
【００２９】
感光体ドラムＰＲｙ〜ＰＲｋの回転方向に対して、帯電ロールＣＲｙ〜ＣＲｋの下流側に設定された書込領域Ｑ１ｙ，Ｑ１ｍ，Ｑ１ｃ，Ｑ１ｋにおいて、感光体ドラムＰＲｙ〜ＰＲｋの表面に対して、ＬＥＤヘッドＬＨｙ〜ＬＨｋから書込光が照射される。
感光体ドラムＰＲｙ〜ＰＲｋの回転方向に対して、書込領域Ｑ１ｙ〜Ｑ１ｋの下流側に設定された現像領域Ｑ２ｙ，Ｑ２ｍ，Ｑ２ｃ，Ｑ２ｋには、現像装置Ｇｙ，Ｇｍ，Ｇｃ，Ｇｋが感光体ドラムＰＲｙ〜ＰＲｋの表面に対向して配置されている。
【００３０】
感光体ドラムＰＲｙ〜ＰＲｋの回転方向に対して、現像領域Ｑ２ｙ〜Ｑ２ｋの下流側には、１次転写領域Ｑ３ｙ，Ｑ３ｍ，Ｑ３ｃ，Ｑ３ｋが設定されている。１次転写領域Ｑ３ｙ〜Ｑ３ｋでは、中間転写体の一例であって、媒体の一例としての中間転写ベルトＢに接触している。また、１次転写領域Ｑ３ｙ，Ｑ３ｍ，Ｑ３ｃ，Ｑ３ｋにおいて、中間転写ベルトＢを挟んで感光体ドラムＰＲｙ〜ＰＲｋの反対側には、１次転写器の一例であって、転写部材の一例としての１次転写ロールＴ１ｙ，Ｔ１ｍ，Ｔ１ｃ，Ｔ１ｋが配置されている。なお、実施例１では、１次転写ロールＴ１ｙ〜Ｔ１ｋに印加される１次転写電圧は、供給される電流値が予め設定された値となるように、いわゆる定電流制御される。
感光体ドラムＰＲｙ〜ＰＲｋの回転方向に対して、１次転写領域Ｑ３ｙ〜Ｑ３ｋの下流側には、像保持体の清掃器の一例としてのドラムクリーナＣＬｙ，ＣＬｍ，ＣＬｃ，ＣＬｋが配置されている。なお、実施例１の複写機Ｕでは、１次転写領域Ｑ３ｙ〜Ｑ３ｋ通過後の感光体ドラムＰＲｙ〜ＰＲｋの表面を除電する除電器は設けられていない。
【００３１】
前記感光体ドラムＰＲｙ〜ＰＲｋの上方には、中間転写装置の一例としてのベルトモジュールＢＭが配置されている。前記ベルトモジュールＢＭは、前記中間転写ベルトＢを有する。中間転写ベルトＢは、駆動部材の一例としての駆動ロールＲｄと、張架部材の一例としてのテンションロールＲｔと、蛇行補正部材の一例としてのウォーキングロールＲｗ、従動部材の一例としてのアイドラロールＲｆ、２次転写領域の対向部材の一例としてのバックアップロールＴ２ａと、１次転写ロールＴ１ｙ，Ｔ１ｍ，Ｔ１ｃ，Ｔ１ｋと、により回転可能に支持されている。
【００３２】
中間転写ベルトＢを挟んでバックアップロールＴ２ａの反対側には、２次転写部材の一例としての２次転写ロールＴ２ｂが配置されている。前記バックアップロールＴ２ａと２次転写ロールＴ２ｂにより２次転写器Ｔ２が構成されている。また、２次転写ロールＴ２ｂと中間転写ベルトＢとが対向する領域により２次転写領域Ｑ４が形成される。
前記１次転写ロールＴ１ｙ〜Ｔ１ｋ、中間転写ベルトＢおよび２次転写器Ｔ２等により、感光体ドラムＰＲｙ〜ＰＲｋに形成された画像を媒体に転写する実施例１の転写装置Ｔ１＋Ｔ２＋Ｂが構成されている。
【００３３】
中間転写ベルトＢの回転方向に対して、２次転写領域Ｑ４の下流側には、中間転写体の清掃器の一例としてのベルトクリーナＣＬｂが配置されている。
前記ベルトモジュールＢＭの上方には、現像剤の収容容器の一例としてのカートリッジＫｙ，Ｋｍ，Ｋｃ，Ｋｋが配置されている。各カートリッジＫｙ〜Ｋｋには、現像装置Ｇｙ〜Ｇｋに補給される現像剤が収容されている。前記カートリッジＫｙ〜Ｋｋと現像装置Ｇｙ〜Ｇｋとの間は、図示しない現像剤の補給装置により接続されている。
【００３４】
プリンタ部Ｕ１の下部には、媒体の収容容器の一例としての給紙トレイＴＲ１〜ＴＲ３が配置されている。給紙トレイＴＲ１〜ＴＲ３は、案内部材の一例としてのガイドレールＧＲにより前後方向に着脱可能に支持されている。給紙トレイＴＲ１〜ＴＲ３には、媒体の一例としてのシートＳが収容されている。
給紙トレイＴＲ１〜ＴＲ３の左上方には、媒体の取出部材の一例としてのピックアップロールＲｐが配置されている。ピックアップロールＲｐの左方には、捌き部材の一例としての捌きロールＲｓが配置されている。
各給紙トレイＴＲ１〜ＴＲ３の左方には、上方に延びる媒体の搬送路ＳＨが形成されている。搬送路ＳＨには、媒体の搬送部材の一例としての搬送ロールＲａが複数配置されている。搬送路ＳＨには、シートＳの搬送方向の下流部であり且つ２次転写領域Ｑ４の上流側に、送出部材の一例としてのレジロールＲｒが配置されている。
【００３５】
２次転写領域Ｑ４の上方には、定着装置Ｆが配置されている。定着装置Ｆは、加熱部材の一例としての加熱ロールＦｈと、加圧部材の一例としての加圧ロールＦｐとを有する。加熱ロールＦｈと加圧ロールＦｐとの接触領域により、定着領域Ｑ５が構成されている。
定着装置Ｆの斜め上方には、媒体の搬送部材の一例としての排出ローラＲｈが配置されている。排出ローラＲｈの右方には、媒体の排出部の一例としての排出トレイＴＲｈが形成されている。
【００３６】
（画像形成動作の説明）
前記原稿トレイＴＧ１に収容された複数の原稿Ｇｉは、プラテンガラスＰＧ上の原稿の読み取り位置を順次通過して、原稿の排紙トレイＴＧ２に排出される。
前記オートフィーダＵ３を使用して自動的に原稿を搬送して複写を行う場合は、読取り用の光学系Ａは初期位置に停止した状態で、プラテンガラスＰＧ上の読み取り位置を順次通過する各原稿Ｇｉを露光する。
原稿Ｇｉを作業者が手でプラテンガラスＰＧ上に置いて複写を行う場合、読取り用の光学系Ａが左右方向に移動して、プラテンガラスＰＧ上の原稿が、露光されながら走査される。
【００３７】
原稿Ｇｉからの反射光は、読取り用の光学系Ａを通って、撮像素子ＣＣＤに集光される。前記撮像素子ＣＣＤは、撮像面上に集光された原稿の反射光が赤：Ｒ、緑：Ｇ、青：Ｂの電気信号に変換される。
画像処理部ＧＳは、撮像素子ＣＣＤから入力されるＲＧＢの電気信号を黒：Ｋ、イエロー：Ｙ、マゼンタ：Ｍ、シアン：Ｃの画像情報に変換して一時的に記憶する。画像処理部ＧＳは、一時的に記憶した画像情報を予め設定された時期に、潜像形成用の画像情報として書込回路ＤＬに出力する。
なお、原稿画像が単色画像、いわゆる、モノクロの場合は、黒：Ｋのみの画像情報が書込回路ＤＬに入力される。
【００３８】
前記書込回路ＤＬは、図示しない各色Ｙ，Ｍ，Ｃ，Ｋの各駆動回路を有し、入力された画像情報に応じた信号を予め設定された時期に、各色毎に配置されたＬＥＤヘッドＬＨｙ〜ＬＨｋに出力する。
各感光体ドラムＰＲｙ〜ＰＲｋの表面は、帯電ロールＣＲｙ〜ＣＲｋによりに帯電される。ＬＥＤヘッドＬＨｙ〜ＬＨｋは、書込領域Ｑ１ｙ〜Ｑ１ｋにおいて、感光体ドラムＰＲｙ〜ＰＲｋの表面に静電潜像を形成する。現像装置Ｇｙ〜Ｇｋは、現像領域Ｑ２ｙ〜Ｑ２ｋにおいて、感光体ドラムＰＲｙ〜ＰＲｋの表面の静電潜像を、可視像の一例としてのトナー像に現像する。現像装置Ｇｙ〜Ｇｋで現像剤が消費されると、消費量に応じて、各カートリッジＫｙ〜Ｋｋから各現像装置Ｇｙ〜Ｇｋに現像剤が補給される。
【００３９】
各感光体ドラムＰＲｙ〜ＰＲｋの表面のトナー像は、１次転写領域Ｑ３ｙ，Ｑ３ｍ，Ｑ３ｃ，Ｑ３ｋに搬送される。各１次転写ロールＴ１ｙ〜Ｔ１ｋには、電源回路Ｅから予め設定された時期にトナーの帯電極性と逆極性の１次転写電圧が印加される。したがって、１次転写領域Ｑ３ｙ〜Ｑ３ｋにおいて、１次転写電圧により、感光体ドラムＰＲｙ〜ＰＲｋのトナー像は、中間転写ベルトＢに順次重ねて転写される。なお、Ｋ色の単色の画像の場合は、Ｋ色のトナー像のみが、Ｋの感光体ドラムＰＲｋから中間転写ベルトＢに転写される。
【００４０】
前記各感光体ドラムＰＲｙ〜ＰＲｋ上のトナー像は、前記１次転写ロールＴ１ｙ，Ｔ１ｍ，Ｔ１ｃ，Ｔ１ｋにより、中間転写体の一例としての中間転写ベルトＢに１次転写される。１次転写後の感光体ドラムＰＲｙ〜ＰＲｋ表面の残留物、付着物は、ドラムクリーナＣＬｙ〜ＣＬｋで清掃される。清掃された感光体ドラムＰＲｙ〜ＰＲｋの表面は、帯電ロールＣＲｙ〜ＣＲｋで再帯電される。
【００４１】
前記各給紙トレイＴＲ１〜ＴＲ３のシートＳは、予め設定された給紙時期にピックアップロールＲｐにより取り出される。ピックアップロールＲｐで取り出されたシートＳは、複数枚のシートＳが重なった状態で取り出された場合には、捌きロールＲｓで１枚づつ分離される。捌きロールＲｓを通過したシートＳは、複数の搬送ロールＲａにより、レジロールＲｒに搬送される。
前記レジロールＲｒは、中間転写ベルトＢの表面のトナー像が２次転写領域Ｑ４に移動する時期に合わせて、シートＳを送り出す。
【００４２】
レジロールＲｒから送り出されたシートＳには、２次転写領域Ｑ４を通過する際に、２次転写ロールＴ２ｂに印加された２次転写電圧により、中間転写ベルトＢの表面のトナー像が転写される。
２次転写領域Ｑ４を通過後の中間転写ベルトＢの表面は、ベルトクリーナＣＬｂにより残留トナーが除去されて清掃される。
２次転写領域Ｑ４を通過したシートＳは、定着領域Ｑ５を通過する際に、定着装置Ｆによりトナー像が加熱および加圧されて定着される。
トナー像が定着されたシートＳは、排出ローラＲｈで排出トレイＴＲｈに排出される。
【００４３】
（実施例１の制御部の説明）
図３は実施例１の画像形成装置の制御部が備えている各機能をブロック図で示した図である。
図３において、制御部Ｃは、外部との信号の入出力等を行う入出力インターフェースＩ／Ｏを有する。また、制御部Ｃは、必要な処理を行うためのプログラムおよび情報等が記憶されたＲＯＭ：リードオンリーメモリを有する。また、制御部Ｃは、必要なデータを一時的に記憶するためのＲＡＭ：ランダムアクセスメモリを有する。また、制御部Ｃは、ＲＯＭ等に記憶されたプログラムに応じた処理を行うＣＰＵ：中央演算処理装置を有する。したがって、実施例１の制御部Ｃは、小型の情報処理装置、いわゆるマイクロコンピュータにより構成されている。よって、制御部Ｃは、ＲＯＭ等に記憶されたプログラムを実行することにより種々の機能を実現することができる。
【００４４】
（制御部Ｃに接続された信号出力要素）
制御部Ｃは、操作部ＵＩや図示しないセンサ等の信号出力要素からの出力信号が入力されている。
操作部ＵＩは、入力部材の一例として、矢印等の入力を行う入力ボタンＵＩａを有する。また、操作部ＵＩは、告知部材の一例としての表示部ＵＩｂ等を備えている。
【００４５】
（制御部Ｃに接続された被制御要素）
制御部Ｃは、主駆動源の駆動回路Ｄ１や電源回路Ｅ、その他の図示しない制御要素に接続されている。制御部Ｃは、各回路Ｄ１，Ｅ等へ、それらの制御信号を出力している。
Ｄ１：主駆動源の駆動回路
主駆動源の駆動回路Ｄ１は、主駆動源の一例としてのメインモータＭ１を介して、感光体ＰＲｙ〜ＰＲｋや中間転写ベルトＢ等を回転駆動する。
【００４６】
Ｅ：電源回路
前記電源回路Ｅは、現像用の電源回路Ｅａ、帯電用の電源回路Ｅｂ、転写用の電源回路Ｅｃ、定着用の電源回路Ｅｄ等を有している。
Ｅａ：現像用の電源回路
現像用の電源回路Ｅａは、現像装置Ｇｙ〜Ｇｋの現像ロールに現像電圧を印加する。
Ｅｂ：帯電用の電源回路
帯電用の電源回路Ｅｂは、帯電ロールＣＲｙ〜ＣＲｋそれぞれに感光体ＰＲｙ〜ＰＲｋ表面を帯電させるための帯電電圧を印加する。
【００４７】
Ｅｃ：転写用の電源回路
転写用の電源回路Ｅｃは、１次転写ロールＴ１ｙ〜Ｔ１ｋやバックアップロールＴ２ａに転写電圧を印加する。
Ｅｄ：定着用の電源回路
定着用の電源回路Ｅｄは、定着装置Ｆの加熱ベルトＦｈのＩＨヒータ８に電力を供給する。
【００４８】
（制御部Ｃの機能）
制御部Ｃは、前記信号出力要素からの入力信号に応じた処理を実行して、前記各制御要素に制御信号を出力する機能を有している。すなわち、制御部Ｃは次の機能を有している。
Ｃ１：画像形成の制御手段
画像形成の制御手段Ｃ１は、スキャナ部Ｕ２で読み取った画像情報や外部のパーソナルコンピュータ等から入力された画像情報に応じて、複写機Ｕの各部材の駆動や各電圧の印加時期等を制御して、画像形成動作であるジョブを実行する。
【００４９】
Ｃ２：駆動源の制御手段
駆動源の制御手段Ｃ２は、主駆動源の駆動回路Ｄ１を介して、メインモータＭ１の駆動を制御し、感光体ＰＲｙ〜ＰＲｋ等の駆動を制御する。
Ｃ３：電源回路の制御手段
電源回路の制御手段Ｃ３は、各電源回路Ｅａ〜Ｅｄを制御して、各部材へ印加される電圧や、各部材へ供給される電力を制御する。
【００５０】
Ｃ４：紙種の判別手段
紙種の判別手段Ｃ４は、印刷に使用される媒体の種類を判別する。実施例１では、各用紙トレイＴＲ１〜ＴＲ３に収容されている紙種の情報が予め登録されており、給紙が行われる用紙トレイＴＲ１〜ＴＲ３に登録されている紙種の情報を取得して、紙種の判別を行う。なお、紙種は、一例として、薄紙や普通紙、厚紙、ＯＨＰが登録され、判別可能なとなっている。
Ｃ５：画像形成モードの判別手段
画像形成モードの判別手段Ｃ５は、操作部ＵＩへの入力に応じて、画像印刷モードの判別を行う。実施例１の画像形成動作の判別手段Ｃ５は、画像形成モードの一例として、黒色の単色印刷モード、いわゆるモノクロモードであるのか、全色の多色印刷モード、いわゆるフルカラーモードであるのかを判別する。
【００５１】
Ｃ６：画像形成速度の設定手段
画像形成速度の設定手段Ｃ６は、複写機Ｕでの画像形成速度を設定する。実施例１の画像形成速度の設定手段Ｃ６は、一例として、第１の画像形成速度ＰＳ１と、第１の画像形成速度ＰＳ１よりも高速の第２の画像形成速度ＰＳ２のいずれかに画像形成速度を設定する。実施例１の画像形成速度の設定手段Ｃ６は、紙種が厚紙またはＯＨＰの場合は、低速の第１の画像形成速度ＰＳ１に設定し、紙種が普通紙または薄紙の場合は、高速の第２の画像形成速度ＰＳ２に設定する。また、実施例１の画像形成速度の設定手段Ｃ６は、画像形成動作がフルカラーモードの場合は、低速の第１の画像形成速度ＰＳ１に設定し、画像形成動作がモノクロモードの場合は、高速の第２の画像形成速度ＰＳ２に設定する。したがって、実施例１では、紙種が普通紙または薄紙、且つ、モノクロモードの場合は、第２の画像形成速度ＰＳ２に設定され、それ以外の場合は、第１の画像形成速度ＰＳ１に設定される。
【００５２】
Ｃ７：画像濃度の判別手段
画像濃度の判別手段Ｃ７は、印刷される画像の濃度を判別する。実施例１の画像濃度の判別手段Ｃ７は、１ページ分の画像において、ＬＥＤヘッドＬＨｙ〜ＬＨｋで書き込まれる画像の画素数の全画素数に対する割合に基づいて、画像の濃度を導出する。そして、導出された画像の濃度が、予め設定された閾値に達する場合に、高濃度画像と判別する。なお、閾値は、一例として１０％に設定することが可能である。また、実施例１の画像濃度の判別手段Ｃ７は、Ｙ色，Ｍ色，Ｃ色，Ｋ色の画像の中でも、中間転写ベルトＢの回転方向に対して上流側に配置されたＹ色とＭ色の画像について、画像濃度の判別を行う。
【００５３】
図４は実施例１の１次転写電流の設定の説明図であり、横軸に画像形成速度を取り、縦軸に１次転写電流を取ったグラフである。
Ｃ８：１次転写電流の記憶手段
１次転写電流の記憶手段Ｃ８は、画像形成動作時に１次転写ロールＴ１ｙ〜Ｔ１ｋに供給される１次転写電流Ｉ１〜Ｉ３を記憶する。図４において、実施例１の１次転写電流の記憶手段Ｃ８は、Ｙ色とＭ色の１次転写ロールＴ１ｙ，Ｔ１ｍには、第１の画像形成速度ＰＳ１の場合は第１の１次転写電流Ｉ１を供給し、第２の画像形成速度ＰＳ２の場合は第２の１次転写電流Ｉ２を供給することを記憶している。なお、各１次転写電流Ｉ１，Ｉ２は、総電流量が保持されるように、Ｉ１：Ｉ２＝ＰＳ１：ＰＳ２となる値に設定されている。すなわち、Ｙ色およびＭ色では、転写電流Ｉ１，Ｉ２が画像形成速度に比例するように制御される。よって、単位時間当たりの電荷供給量である１次転写電流値Ｉ１，Ｉ２と、媒体の一例としての中間転写ベルトＢの通過時間ＰＳ１−１，ＰＳ２−１との積である総電流量Ｉ１／ＰＳ１，Ｉ２／ＰＳ２が、一致するように設定されている。
【００５４】
また、実施例１の１次転写電流の記憶手段Ｃ８は、Ｃ色とＫ色の１次転写ロールＴ１ｃ，Ｔ１ｋには、第１の画像形成速度ＰＳ１の場合は第３の１次転写電流Ｉ３または第１の１次転写電流Ｉ１を供給し、第２の画像形成速度ＰＳ２の場合は第２の１次転写電流Ｉ２を供給することを記憶している。なお、第３の１次転写電流Ｉ３は、第１の１次転写電流Ｉ１よりも大きい値が設定されている。一例として、実施例１では、第３の１次転写電流Ｉ３は、第１の１次転写電流Ｉ１よりも２０％大きい値、すなわち、Ｉ３＝１．２×Ｉ１に設定されている。
したがって、Ｃ色およびＫ色については、第３の１次転写電流Ｉ３が供給される場合は、第１の１次転写電流Ｉ１の場合や第２の１次転写電流Ｉ２の場合よりも、転写領域Ｑ３ｙ〜Ｑ３ｋに供給される総電流量が多くなるように設定されている。したがって、Ｉ３／ＰＳ１＞Ｉ１／ＰＳ１＝Ｉ２／ＰＳ２に設定されている。よって、第２の１次転写電流Ｉ２と第３の１次転写電流Ｉ３との差（Ｉ２−Ｉ３）は、第２の１次転写電流Ｉ２と第１の１次転写電流Ｉ１との差（Ｉ２−Ｉ１）よりも小さくなっている。すなわち、Ｉ２−Ｉ３＜Ｉ２−Ｉ１に設定されている。よって、画像形成速度が下がった場合の１次転写電流の減少幅は、第３の１次転写電流Ｉ３が供給される場合のほうが小さくなっている。別の表現をすれば、Ｙ色とＭ色は、ｋを比例係数とした場合に、（電流値）＝ｋ×（画像形成速度）の直線に従って電流値が設定されていたが、Ｃ色とＫ色は、比例係数ｋ′＜ｋにおいて、（電流値）＝ｋ′×（画像形成速度）＋Ｉ０となる直線にしたがって、電流値が設定される。
【００５５】
Ｃ９：１次転写電流の設定手段
１次転写電流の設定手段Ｃ９は、１次転写電流Ｉ１〜Ｉ３の設定を行う。実施例１の１次転写電流の設定手段Ｃ９は、画像形成動作時の画像形成速度ＰＳ１，ＰＳ２や画像濃度に応じて、１次転写電流Ｉ１〜Ｉ３の設定を行う。実施例１では、１次転写電流の設定手段Ｃ９は、画像形成速度ＰＳ１，ＰＳ２に応じて、１次転写電流の記憶手段Ｃ８に記憶された１次転写電流Ｉ１〜Ｉ３に設定する。また、実施例１の１次転写電流の設定手段Ｃ９は、画像形成速度が低速の場合に、上流側のＹ色とＭ色の画像いずれかで画像濃度が閾値に達する場合には、下流側のＣ色、Ｋ色の１次転写電流を第３の１次転写電流Ｉ３とする。一方、画像形成速度が低速でも、上流側のＹ色とＭ色の画像いずれかで画像濃度が閾値に達しない場合には、下流側のＣ色、Ｋ色の１次転写電流を第１の１次転写電流Ｉ１とする。なお、実施例１の制御部Ｃでは、１次転写電流の設定手段Ｃ９で設定された１次転写電流Ｉ１〜Ｉ３を、電源回路の制御手段Ｃ３が、１次転写ロールＴ１ｙ〜Ｔ１ｋに供給するように制御される。
【００５６】
（実施例１の作用）
前記構成を備えた実施例１の複写機Ｕでは、紙種や画像形成モードに応じて画像形成動作ＰＳ１，ＰＳ２が設定される。そして、画像形成動作ＰＳ１，ＰＳ２に応じて、１次転写電流Ｉ１〜Ｉ３が設定される。
従来の構成では、１次転写電流は、画像形成速度が変化しても、総電荷量が一定に保持されるように制御することが一般的であった。すなわち、画像形成速度が低速になると、画像が１次転写領域を通過する速度も遅くなる。これは、単位時間当たり現像剤の量が少なくなることに相当し、これに伴って１次転写電流の値も減らして、帯電能力を保持することが一般的に行われている。
【００５７】
ここで、１次転写領域Ｑ３ｙ〜Ｑ３ｋでは、１次転写ロールＴ１ｙ〜Ｔ１ｋに印加される１次転写電圧で、画像が中間転写ベルトＢに転写される。１次転写電圧は、感光体ドラムＰＲｙ〜ＰＲｋの帯電電圧とは逆極性の電圧が印加される。したがって、感光体ドラムＰＲｙ〜ＰＲｋが１次転写領域Ｑ３ｙ〜Ｑ３ｋを通過する際に、１次転写電圧で感光体ドラムＰＲｙ〜ＰＲｋの表面の除電が行われることとなる。ここで、画像形成速度が低速の場合に、従来技術のように１次転写電流が比例して低下すると、帯電能力は保持されるが、除電能力は低下することとなる。よって、感光体ドラムＰＲｙ〜ＰＲｋの表面の除電が不十分になると、感光体ドラムＰＲｙ〜ＰＲｋの表面に前回形成した画像に応じた電荷が残留することとなる。電荷が残留すると、次の画像形成時に、薄く写り込むような現象、いわゆるゴーストと呼ばれる画像欠陥が発生する恐れがある。
【００５８】
特に、除電器を有しない構成では、残留電荷の除去は自然放電に頼ることになってしまい、残留電荷の影響が発生しやすくなる。また、帯電ロールＣＲｙ〜ＣＲｋに直流電源のみを使用して帯電を行う構成では、直流電圧に交流電圧を重畳する場合に比べて帯電能力が低く、帯電時に残留電荷の影響が残りやすくなる。
これらに対して、実施例１では、画像形成速度が低速ＰＳ１の場合は、高速ＰＳ２の場合に比べて、総電流量が多くなるように、第３の１次転写電流Ｉ３が設定される。したがって、従来構成の制御に比べて、１次転写ロールＴ１ｃ，Ｔ１ｋにおける除電能力が高くなる。よって、感光体ドラムＰＲｃ，ＰＲｋの除電不良が低減され、ゴースト等の画像欠陥の発生が抑制される。
【００５９】
特に、４色の１次転写領域Ｑ３ｙ〜Ｑ３ｋにおいて、Ｙ色の１次転写領域Ｑ３ｙでは、Ｙ色の画像のみが感光体ドラムＰＲｙと１次転写ロールＴ１ｙの間に挟まれるが、Ｋ色の１次転写領域Ｑ３ｋでは、Ｙ，Ｍ，Ｃ，Ｋの４色分の画像が感光体ドラムＰＲｋと１次転写ロールＴ１ｋの間に挟まれる。各画像を構成するトナーは帯電しており、積層された画像が多くなるほど、１次転写領域Ｑ３ｙ〜Ｑ３ｋに進入する電荷が増えることになる。よって、下流側ほど、１次転写ロールＴ１ｙ〜Ｔ１ｋでの感光体ドラムＰＲｙ〜ＰＲｋの除電が厳しくなる。また、不要な場合にまで１次転写電流を上昇させると、各部材ＰＲｙ〜ＰＲｋ，Ｂ，Ｔ１ｙ〜Ｔ１ｋの抵抗値の影響を受けやすくなり、転写不良が発生する恐れがある。
これらに対して、実施例１では、除電が厳しくなる下流側のＣ色とＫ色では、第３の１次転写電流Ｉ３とする制御を行い、転写不良の恐れがある上流側のＹ色とＭ色においては、従来と同様の制御を行っている。したがって、従来の構成に比べて、除電不良の発生を低減しつつ転写不良の発生の増大も抑制される。
【００６０】
また、上述のように、１次転写領域Ｑ３ｙ〜Ｑ３ｋに進入するトナーの量が多くなると除電不良が発生しやすくなる。したがって、画像濃度が高い画像ほど、除電不良が発生しやすく、低濃度の場合は除電不良が発生しにくい。特に、Ｙ，Ｍ，Ｃ，Ｋの４色を使用する画像形成装置の場合、一例として、注目してもらいたいチラシを印刷しようとして赤色の画像が多い出力する場合、Ｙ色とＭ色の現像剤を高濃度にして赤色が出力されることとなり、上流側のＹ色、Ｍ色が高濃度になりやすい。この場合は、Ｙ色とＭ色の高濃度画像が積層された下流側で除電不良が発生する恐れがある。
これに応じて、実施例１では、上流側のＹ色またはＭ色の画像が閾値よりも高濃度の場合は、画像形成速度が低速の場合では、Ｃ色、Ｋ色の１次転写ロールＴ１ｃ，Ｔ１ｋにおいて、第３の１次転写電流Ｉ３を供給する制御を行う。一方、上流側のＹ色またはＭ色の画像が低濃度の場合は、画像形成速度が低速であっても、Ｃ色、Ｋ色の１次転写ロールＴ１ｃ，Ｔ１ｋにおいて、第１の１次転写電流Ｉ１を供給する制御を行う。すなわち、第３の１次転写電流Ｉ３を供給する制御を行わず、従来と同様の制御を行う。したがって、実施例１では、除電不良が発生しやすい状況では、第３の１次転写電流Ｉ３を供給して除電不良を抑制しつつ、除電不良が発生しにくい状況では、第１の１次転写電流Ｉ１を供給して、転写不良の発生を抑制している。
【００６１】
さらに、モノクロモードの場合は、フルカラーモードの場合は、１次転写領域Ｑ３ｙ〜Ｑ３ｋに進入するトナーの量が少なくなる。実施例１では、フルカラーモードの場合は、画像形成速度が低速に設定され、モノクロモードの場合に比べて、総電流量が多くなるように設定される。したがって、フルカラーモードでは、総電流量が多くなって、除電不良の発生が抑制される。一方、モノクロモードでは、総電流量を多くする制御は行われず、転写不良の発生が抑制される。
【００６２】
また、実施例１では、除電器が設けられておらず、総電流量の制御で除電不良に対応している。したがって、除電器を設ける構成に比べて、除電不良を抑制しつつ、部品点数や製造費用を削減している。
さらに、実施例１では、帯電器ＣＲｙ〜ＣＲｋには、直流電源から電源供給が行われている。したがって、実施例１では、直流電圧に交流電圧を重畳する場合に比べて、帯電能力が低いが費用が安い構成を採用しつつ、除電不良も抑制可能である。
【００６３】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ010）を下記に例示する。
（Ｈ01）前記実施例において、画像形成装置の一例としての複写機Ｕを例示したが、これに限定されず、例えば、プリンタ、ＦＡＸ、あるいはこれらの複数または全ての機能を有する複合機等により構成することも可能である。
【００６４】
（Ｈ02）前記実施例において、複写機Ｕは、４色の現像剤が使用される構成を例示したが、これに限定されず、例えば、単色の画像形成装置や、５色以上または３色以下の多色の画像形成装置にも適用可能である。また、実施例１では、像保持体の一例としての感光体ドラムＰＲｙ〜ＰＲｋから媒体の一例としての中間転写ベルトＢに転写する場合で説明したが、中間転写ベルトＢを有する構成に限定されない。例えば、感光体から媒体の一例としての紙やＯＨＰ等に直接転写する構成にも適用可能である。
（Ｈ03）前記実施例において、例示した数値や材料に限定されず、設計や仕様等に応じて適宜変更可能である。
【００６５】
（Ｈ04）前記実施例において、４色の内Ｃ色とＫ色について、総電流量を多くする制御を行う構成を例示したが、これに限定されない。例えば、全ての色において総電流量を多くする制御を行うことも可能である。また、Ｍ色、Ｃ色、Ｋ色で総電流量を多くする制御を行ったり、Ｋ色のみで総電流量を多くする制御を行うことも可能である。すなわち、総電流量が、K＞C≧M≧Yとしたり、K≧C＞M≧Yとしたり、K≧C≧M＞Yとすることも可能である。特に、Ｙ，Ｍ，Ｃの高濃度画像を重ねることで黒色の画像を作成する場合には、Ｋ色で除電能力が厳しくなるため、このような場合に対応して、Ｋ色のみで総電流量を多くする（すなわち、総電流量がＫ＞Ｃ＝Ｍ＝Ｙとする）ことも可能である。
【００６６】
（Ｈ05）前記実施例において、画像濃度が高濃度の場合に総電流量を多くする制御を行い、低濃度の場合に総電流量を多くする制御を行わない構成とすることが望ましいが、これに限定されない。低濃度の場合も総電流量を多くすることも可能であるし、画像濃度に関わらず画像形成速度に応じて総電流量を制御する構成とすることも可能である。また、Ｙ色またはＭ色の画像濃度に基づく処理に限定されず、Ｙ色とＭ色の両方の画像濃度が高濃度の場合にのみ制御を行ったり、Ｙ，Ｍ，Ｃ色の画像濃度に基づいて、Ｋ色の総電流量の制御を行う等の変更も可能である。
【００６７】
（Ｈ06）前記実施例において、モノクロモードとフルカラーモードで画像形成速度を変更して、総電流量を制御する構成を例示したが、これに限定されない。モノクロモードとフルカラーモードで、同一の画像形成速度で画像形成を行いつつ、フルカラーモードでは総電流量を多くする制御を行い、モノクロモードでは総電流量を多くする制御を行わない構成とすることも可能である。また、モノクロモードとフルカラーモードで総電流量を変えることが望ましいが、これに限定されず、モノクロモードでも総電流量を多くする制御を行うことも可能である。
（Ｈ07）前記実施例において、画像形成速度が高速と低速の２段階の場合を例示したが、これに限定されない。３段階以上の場合にも適用可能である。このとき、１次電流値も３段階に対応して増えることとなる。例えば、高速、中速、低速の３段階の場合に、高速＜中速＜低速の順に総電流量を多くすることも可能であるし、高速＝中速＜低速とか、高速＜中速＝低速のように総電流量を設定することも可能である。
【００６８】
（Ｈ08）前記実施例において、Ｙ色とＭ色の１次転写電流や、Ｃ色とＫ色の１次転写電流が同じ値で制御する場合を例示したが、これに限定されない。Ｙ，Ｍ，Ｃ，Ｋで１次転写電流値を異なる値にすることも可能である。例えば、第１の１次転写電流Ｉ１について、Ｙ色の１次転写電流Ｉ１ｙ、Ｍ色の１次転写電流Ｉ１ｍ，Ｃ色の１次転写電流Ｉ１ｃ，Ｋ色の１次転写電流Ｉ１ｋを異なる値とすることも可能である。
（Ｈ09）前記実施例において、除電器を有しなかったり、帯電ロールＣＲｙ〜ＣＲｋに直流電源のみを使用する構成とすることが望ましいが、これに限定されない。除電器を設けたり、帯電器に直流電源に交流電源を重畳したものを採用することも可能である。
【００６９】
（Ｈ010）前記実施例において、１次転写電流の制御に、従来技術に示されている帯電器の劣化に対応する補正制御を組み合わせて適用することも可能である。
【符号の説明】
【００７０】
Ｂ…媒体，中間転写体、
ＣＲｙ，ＣＲｍ，ＣＲｃ，ＣＲｋ…帯電器、
Ｇｙ，Ｇｍ，Ｇｃ，Ｇｋ…現像装置、
Ｉ１／ＰＳ１，Ｉ２／ＰＳ２，Ｉ３／ＰＳ１…転写用の総電流量、
ＬＨｙ，ＬＨｍ，ＬＨｃ，ＬＨｋ…潜像の形成装置、
ＰＲｙ，ＰＲｍ，ＰＲｃ，ＰＲｋ…像保持体、
ＰＳ１，ＰＳ２…画像形成速度、
Ｑ３ｙ，Ｑ３ｍ，Ｑ３ｃ，Ｑ３ｋ…転写領域、
Ｔ１＋Ｔ２＋Ｂ…転写装置、
Ｔ１ｃ…シアン色の画像用の転写部材、
Ｔ１ｋ…黒色用の画像の転写部材、
Ｔ１ｍ…マゼンタ色の画像用の転写部材、
Ｔ１ｙ…黄色の画像用の転写部材、
Ｔ１ｙ，Ｔ１ｍ，Ｔ１ｃ，Ｔ１ｋ…転写部材、
Ｕ…画像形成装置。
【図１】
2018169452.tif 000003
【図２】
2018169452.tif 000004
【図３】
2018169452.tif 000005
【図４】
2018169452.tif 000006